(57)【要約】【課題】    自然環境のもたらす感覚的効用を活用して人の視覚、聴覚、嗅覚等の感覚に広く作用して効果的な安らぎ空間の演出と情報提供機能とを兼備えた画像表示装置を提供する。【解決手段】    床設置型画像表示装置の本体フレーム５の内部には画像フイルム１を巻取るための上下平行に巻取りロール６ａ，６ｂをモーターに係合して配置すると共に動画と文字情報とを表示する液晶デイスプレイ７ａ，７ｂを左右外側面に配置する。また外上部には電光文字盤８を、下部内側には香り供給装置２、音響装置３、マイナスイオン供給装置４及びリモコン受信センサー９とリモコン発信器１０とを備える。【選択図】図２
2015064541.tif 000002
【特許請求の範囲】
【請求項１】
自然環境の感覚的効用のうちで、構成要素を景観、環境音、香り及びマイナスイオンとした自然環境の感覚的効用を活用した安らぎ空間の演出機能及び情報提供機能とを兼備えた画像表示装置。
【請求項２】
景観の写真画像をさらに画像構成要素、色彩、構成比率、空間スケールの分類基準を設けメッシュ分析による清涼感、安堵感、開放感の３系統とした請求項１の画像表示装置。
【請求項３】
香りの種類を清涼感にはペパーミント及びセージ、安堵感にはヒノキ及びローズウッド、開放感にはバニラ及びシトロネラ等を調香した請求項１の画像表示装置。
【請求項４】
３系統の香りに同系統で多種類の香りを付加可能とした請求項１の画像表示装置。
【請求項５】
音響装置（３）をＣＤ又はデジタルプレイヤーとアクテブスピーカーを用いてリモートコントロール可能とした請求項１の画像表示装置。
【請求項６】
マイナスイオン供給装置（４）の発生原理をレナード効果及びコロナ放電等の方式とした請求項１の画像表示装置。
【請求項７】
画像フイルム（１）を電気的手段により切替え可能にすると共に環境音、香り、マイナスイオンとを連動して切替え、且つ選択して装備可能とした請求項１の画像表示装置。
【請求項８】
床設置型画像表示装置の本体フレーム（５）の内部に上下平行に巻取りロール（６ａ，６ｂ）をモーターに係合して配置すると共に動画を表示する液晶デイスプレイ（７ａ，７ｂ）を両外側面に、外上部には文字情報を表示する電光文字盤（８）とを選択して装備可能として、下部内側に香り供給装置（２）、音響装置（３）、マイナスイオン供給装置（４）及びリモコン受信センサー（９）とリモコン発信器（１０）とを備え一体に構成した請求項１の画像表示装置。
【請求項９】
パネル型画像表示装置の本体フレーム（１１）の内部に左右平行に巻取りロール（６ｃ，６ｄ）をモーターに係合させて配置すると共に下部にリモコン受信センサー（９）とリモコン発信器（１０）を備え、前記本体フレームの外下部に音響装置（１３）、３系列の香りを装着したワンタッチボトル（２ａ，２ｂ，２ｃ）及びマイナスイオン供給装置（４）をカバー内部に一体に構成すると共に該カバー内部附属機器を本体から離れた所の手元でも使用可能とした請求項１の画像表示装置。
【請求項１０】
本発明の基本機能（図１）を情報提供装置として使用可能な構造とした請求項１の画像表示装置。
【発明の詳細な説明】
【技術分野】
【０００１】  本発明は、商業施設、観光施設、オフィスビル及び公共施設等の休憩室、談話室等で用いられる安らぎ空間の演出と各種の情報を提供するのに用いられる装置に関する。
【背景技術】
【０００２】  今日の商業施設、観光施設、オフィスビル及び公共施設等においては安らぎ感のある雰囲気と空間、それに各種の情報の提供等が求められるようになり、それに対応すべく室内装飾品や備品等を備えた休憩室、談話室等が設けられ適宜活用されている。
【先行技術文献】
【特許文献】
【０００３】
【特許文献１】  特開２００３−２３５９８４号公報
【発明の概要】
【発明が解決しようとする課題】
【０００４】  現代の社会於いては健康志向の高まりにより安らぎ感が強く求められるようになり、利用する人が安らぎ感を得るための設備等の手段と安らぎ系の情報、それに社会の環境状況等の情報とを比較的短時間で効果的に得られるようにすることが望まれている。【０００５】  本発明は、利用する人の感覚に広く作用するように高度化して相乗効果により臨場感を高め効果的に安らぎ感と各種の情報が得られるように、自然環境のもたらす感覚的効用を活用して、人間工学の観点より景観は視覚、環境音は聴覚、香りは嗅覚、それにマイナスイオンは空気質として、この構成要素を科学的に再現して前記休憩室、談話室等に容易に設置可能にして使用できるようにすることを目的としている。
【課題を解決するための手段】
【０００６】  上記目的を達成するために、本発明は再現が容易で利用する人の感覚で認識効果が大きく、且つ安らぎ感が得られ好まれている保養地や景勝地等の自然の景観を撮影した写真を画像構成要素、色彩、構成比率、空間スケールの分類基準を設けメッシュ分析による清涼感、安堵感、開放感の３系列に予め分類したものを１組として１〜２〜３組の如く白色系ポリエステルの画像フイルムに横又は縦方向に臨場感の得られる比較的大型サイズで順次デジタルプリントして一体に形成し本体フレーム内部に、平行に配置した２本の巻取りロールを適宜モーターに係合すると共に電気的手段にて回転して切替え可能にする。【０００７】  該画像フイルムの内容に対応する環境音、香り、マイナスイオンとを連動して切替え、且つ選択して装備可能とする。前記画像フイルムには代表的な静止画を表示して詳細な内容を動画で表示する液晶デイスプレイと文字情報を表示する電光盤とを選択して装備可能とすると共に前記本体フレームの両外側面及び上部に一体に構成する。
【発明の効果】
【０００８】  本発明は、以上説明したように構成されているので、以下に記載される全体的な効果、安らぎ空間の演出の効果及び情報提供に活用する効果を有する。【０００９】  全体的な効果として、本発明の装置によれば視覚、聴覚、嗅覚それに空気質のマイナスイオンにより利用する人の感覚に広く作用して相乗効果により臨場感を高め安らぎ感と各種の情報が短時間で効果的に得られる。【００１０】  画像フイルムに表示されるプリント画像は電力を消費することなく表示可能なので節電になると共に原理的に電磁波の発生を少なく抑えることができると共に電飾とする場合でもＬＥＤ照明を用いて大幅に節電可能である。【００１１】  安らぎ空間の演出の効果として、画像フイルムにプリントされる自然景観の写真を予め観察に基づく独自の分類基準により清涼感、安堵感、開放感の３系列に分類することにより自然景観と環境がもたらす感覚的効用がより強く感じられ効果的に安らぎ感が得ることができる。それと共に写真画像で自然の景観を再現する際に分類基準により事前に客観的に選定することができるので、主観的なばらつきを排除できる。【００１２】  また画像フイルムに表示される画像と、連動する環境音・背景音楽と香り及びマイナスイオンは季節変化や使用状況によりタイマー及び赤外線リモコンで適宜切替え可能なので各種の要望に適切に対応でき使用価値が高まる。【００１３】  空気質のマイナスイオンには空気の浄化作用と除菌作用があり今日の社会環境では人が多く集まる所にマイナスイオン供給装置を備えることは極めて有用である。【００１４】  床設置型画像表示装置に於いて大型サイズのプリント画像では臨場感の得られる特徴的な画像を、一方比較的小型サイズの液晶デイスプレイでは動的な景観等を、それに電光文字盤では画像の案内等を文字情報により必要に応じて表示することが可能であり、より多彩な表現ができる。【００１５】  本体フレームの内部に画像フイルム、香り供給装置、音響装置及びマイナスイオン供給装置とを配置し、且つ液晶デイスプレイと電光文字盤とを本体フレームの側面と上部に配置し一体に構成可能にすると共に軽合金製フレームとすことにより軽量薄型化を図り設置空間を大幅に節約できる。【００１６】  パネル型画像表示装置に於いては小型サイズのプリント画像を用い本体の外下部に小型の音響、香り及びマイナスイオンの各装置を一体に構成、小型化して狭い空間の壁面等に設置して少人数や個人でも使用できる。【００１７】  本発明の基本機能を情報提供装置として使用する場合の効果は、従来のプリント画像填め込み方式と異なり比較的大型のプリント画像を３〜１２枚程度切替えて使用できるので設置空間の大幅な節約になり空間の有効利用が図れる。【００１８】  また切替えられるプリント画像はタイマーを設定することにより自動的に時刻、日毎、週毎、月毎等で切替えられるので最適な時期に適切な情報提供がで出来ると共に保守の手間が省ける。【００１９】  大型サイズのプリント画像では臨場感の得られる代表的な画像を、また比較的小型サイズの液晶デイスプレイでは動的な詳細情報等を、それに電光文字盤では画像の案内等を必要に応じて表示することが可能であり、より多彩な表現で情報提供ができる。【００２０】  音声によるナレーションと背景音楽は従来の方式には一般的に備えられておらず、本装置によれば画像に対応する所望の内容の音声等を付加できるので相乗効果が得られる。【００２１】  さらに供給する香りは快適に感じられる清涼感、安堵感、開放感等の香りを基本に画像のイメージに調香して用いるので、観光、歴史文化、会社等の各種情報のイメージが臨場感をもって想起され、意図した情報提供ができる等の相乗効果が得られる。
【図面の簡単な説明】
【００２２】
【図１】  本発明のブロック線図である。
【図２】  床設置型画像表示装置の正面図である。
【図３】  パネル型画像表示装置の正面図である。
【図４】  パネル型画像表示装置の香りボトルの斜視図である。
【図５】  両型共通のマイナスイオン供給装置の斜視図である。
【発明を実施するための形態】
【００２３】  発明の実施の形態を実施例に基づき図面を参照して説明する。
図１において、画像フイルム１に清涼感、安堵感、開放感の３系列に分類した自然の景観、例えば渓流、森の中、高原等を撮影して後、デジタルプリントを施す。次に香り供給装置２により前記画像フイルムの内容に対応してイメージが浮かぶ精油をセラミック等に含浸させた香りを電気的手段により選択すると共に送風ファン等により適宜時間香りを供給する。香りの種類は例えば清涼感にはペパーミントやセージ、安堵感にはヒノキやローズウッド、開放感にはバニラやシトロネラ等を調香したものを用い、同系統で多種類の香りを付加可能とする。また音響装置３はＣＤ又はデジタルプレイヤーとアクテイブスピーカーを用いてリモートコントロール可能にして前記画像フイルム１の内容に対応する環境音、例えば渓流のせせらぎ，森の中のカッコウのさえずり、高原のヒバリのさえずり等のほか安らぎ感のある背景音楽とを適宜流す。そしてマイナスイオン供給装置４により空気の浄化作用と除菌作用等の効果がある自然界に存在するイオンと同等の量とレナード効果及びコロナ放電方式等の原理で自然観察に基づいて例えば森の中の如く供給する。
【００２４】  図２に示される実施例では、床設置型画像表示装置の本体フレーム５の内部には前記画像フイルム１を巻取るための上下平行に巻取りロール６ａ，６ｂをモーターに係合して配置すると共にパソコン等で動画を表示して適宜立体映像も可能な液晶デイスプレイ７ａ，７ｂを両外側面に配置する。また外上部には文字情報を表示する電光文字盤８を、下部内側には香り供給装置２、音響装置３、マイナスイオン供給装置４及びリモコン受信センサー９とリモコン発信機１０とを備えると共に、前記附属機器を計画段階で適宜選択して装着可能な構造とする。
【００２５】  図３に示される実施例では、パネル型画像表示装置の本体フレーム１１の内部には前記画像フイルム１２を巻取るための左右平行に巻取りロール６ｃ，６ｄをモーターに係合して配置すると共に下部にはリモコン受信センサー９とリモコン発信器１０と備える。また前記本体フレーム１１の外下部には音響装置１３、清涼感、安堵感、開放感の３系列の香りの精油をセラミックや脱脂綿に含浸させて充填したガラス製のワンタッチボトル２ａ、２ｂ、２ｃ及びマイナスイオン供給装置４とをカバー内部に一体に構成すると共に該カバー内部附属機器を本体から離れた所の手元でも使用可能とする。
【符号の説明】
【００２６】１    画像フイルム
２    香り供給装置
２ａ  ワンタッチボトル（パネル型の香り）
２ｂ  ワンタッチボトル（パネル型の香り）
２ｃ  ワンタッチボトル（パネル型の香り）
３    音響装置
４    マイナスイオン供給装置
５    本体フレーム
６ａ  ロール（上）
６ｂ  ロール（下）
６ｃ  ロール（右、パネル型）
６ｄ  ロール（左、パネル型）
７ａ  液晶デイスプレイ（右）
７ｂ  液晶デイスプレイ（左）
８    電光文字盤
９    リモコン受信センサー
１０  リモコン発信器
１１  本体フレーム（パネル型）
１２  画像フイルム（パネル型）
１３  音響装置（パネル型）
【図１】
2015064541.tif 000003
【図２】
2015064541.tif 000004
【図３】
2015064541.tif 000005
【図４】
2015064541.tif 000006
【図５】
2015064541.tif 000007